(57)【特許請求の範囲】
【請求項１】
平積ディスプレイ、面陳台、棚プレート、棚差しプレート、ＰＯＰカード及びスイングＰＯＰとして用いることができる所定の厚み寸法の略平板状のＰＯＰ用台紙であって、
下面部と、該下面部の上下側にそれぞれ連接される後面部及び前面部と、前記後面部の左右のいずれか一方側に連接される側面部とを備え、
前記後面部は、宣伝広告などのための情報が表示された所定の領域が上方に延出して形成され、前記所定の領域を切り取るためのＰＯＰカード用切取線と、凸状部分を有する略矩形状の領域を切り取るための棚差しプレート用切取線とを備え、
前記下面部は、横幅長にわたる棚プレート用切取線と、面陳用ストッパ部を領域づける略Ｕ字状の切込線と、凸状部分を有する略矩形状の領域を切り取るための棚差しプレート用切取線と、宣伝広告などのための情報が表示された所定の領域を切り取るためのスイングＰＯＰ用切取線とを備え、
前記側面部を前記後面部に対して略９０度の角度に起立させ、さらに、前記後面部を前記下面部に対して略９０度の角度に起立させると、前記後面部、前記下面部及び前記側面部により形成される空間に被陳列体を平積みする前記平積ディスプレイとして用いることができ、
前記側面部を前記後面部に対して略９０度の角度に起立させ、さらに、前記後面部を前記下面部に対して略９０度の角度に起立させ、さらに、前記略Ｕ字状の切込線に沿った前記面陳用ストッパ部を、下面部に対して略９０度の角度に起立させ、前記後面部に立てかけられて面陳列される前記被陳列体の下端部を保持するストッパとすると、前記面陳台として用いることができ、
前記下面部の前記前面部と連接する側を前記棚プレート用切取線に沿って切り取り、前記前面部を前記切り取られた前記下面部に対して略９０度の角度に山折りして折り曲げると、前記前面部に宣伝広告などのための情報が表示され、前記下面部に前記被陳列体を載置する前記棚プレートとして用いることができ、
前記後面部のうち前記後面部の前記棚差しプレート用切取線に沿って切り取られた前記凸状部分を有する略矩形状の部材と、前記下面部のうち前記下面部の前記棚差しプレート用切取線に沿って切り取られた前記凸状部分を有する略矩形状の部材とを貼着して、棚に載置された複数の前記被陳列体の間に挿し込み、凸状部分が前記棚に引っ掛かるため被陳列体の間に隠れない部分に宣伝広告などのための情報が表示され、前記棚差しプレートとして用いることができ、
前記後面部のうち前記ＰＯＰカード用切取線に沿って切り取られた前記所定の領域の部材を前記ＰＯＰカードとして用いることができ、
前記下面部のうち前記スイングＰＯＰ用切取線に沿って切り取られた前記所定の領域の部材をＰＥＴスイングと組み合わせて前記スイングＰＯＰとして用いることができるＰＯＰ用台紙。
【発明の詳細な説明】
【技術分野】
【０００１】
本発明は、書籍等の店頭陳列時のアイキャッチ効果を高めるようにする平積ディスプレイ、面陳台、棚プレート、棚差しプレート、ＰＯＰカード及びスイングＰＯＰとして用いることができるＰＯＰ用台紙に関する。
【背景技術】
【０００２】
従来から、書店などでは、Ａ４サイズをはじめ様々なサイズの書籍、雑誌、ＣＤ、ＤＶＤなどを展示する際に、消費者の目に付き易い商品棚などに並べて陳列することが多く行われている。そして、特定の商品の販売を促進するために各種のキャンペーンを打ったり、また、新商品が販売される場合にもキャンペーンを打って販売の促進を図るようにしており、販売促進の対象となる商品が特に目立つようにするべく、販売員の代わりに商品の陳列場所を消費者に明示し、かつ、商品の機能・価格を説明してくれるものである売場で商品を直接宣伝する広告物であるＰＯＰ（ポップ）を取り付けることが行われている。
【０００３】
ここで、ＰＯＰには以下のような種類がある。
同一種類（題号）の書籍などを複数冊、いわゆる平積みにして１ｍ〜数ｍにも及ぶ展示台などに載置して、展示台の幅いっぱいに亘り、隣には異なる種類の書籍などが同様に平積みされていく。この際に顧客へ商品内容を明確に訴求する平積ディスプレイ（平積み販売用ＰＯＰ）が使用されている。
また、特定の雑誌などが平積みされている上部空間にその雑誌などのおもて表紙等を手前側に向けて斜めに目立つように面陳列して、顧客へ商品内容を明確に訴求する面陳台（面陳スタンドＰＯＰ）が使用されている。
また、複数の書籍などの背表紙等を手前側に向けて横並びに陳列し、書店では棚の一番上や一番下にジャンル表示をする棚プレート（棚板用見出しプレートＰＯＰ）が使用されている。
また、複数の書籍などの背表紙等を手前側に向けて横並びに陳列した際に、隣り合った書籍などの間に挿し込んで表示シートを挟み込んだり、又は直接に分類別表示などの情報を表示するための棚差しプレート（差込み式見出しプレートＰＯＰ）が使用されている。
また、簡単な広告文等を表示した板状体であるＰＯＰカード（二つ折りＰＯＰカードを含む。）が、表示スタンド等に挟まれた態様で使用されている。
また、簡単な広告文等を表示した板状体であるＰＯＰカード（二つ折りＰＯＰカードを含む。）が、端部を棚などに貼着可能な細帯状の首部分となるＰＥＴスイングと組み合わされてスイングＰＯＰとして使用されている。スイングＰＯＰとはＰＯＰカード部分の重みにより、触れたり、人が通ったりして風が当たることにより、ＰＯＰカード部分が揺れ、アイキャッチ効果が高いものをいう。
【０００４】
関連技術として、設置場所を制限されることなく店舗の平台などの適宜な場所に設置可能で場所を制限されることがなく、運搬、集積等に場所をとらずこれらに要する費用ならびに製造コストも低廉である面陳列器具が提案されている。
その構成は、書籍、雑誌、ＣＤ、ＤＶＤ、ビデオカセット等の平板状の商品のおもて表面が見えるように面陳列でき組み立て折り畳みが自在な陳列器具であり、組み立て状態で、底板部と、被陳列物の寄りかかりを可能とするために底板部の後端から立ち上る斜面部と、この斜面部への被陳列物の寄りかかりを保持するために底板部の前縁に形成されるストッパ部と、陳列器具の正立を維持するために斜面部の両側端に形成した支脚部とを具えて折り曲げ・復元可能な樹脂材で一体平板状に形成し、各部の間に形成した谷折り又は山折りが可能な折曲手段により組み立て・折畳み自在にしたものである（特許文献１参照）。
【先行技術文献】
【特許文献】
【０００５】
【特許文献１】実用新案登録第３１６９１２８号公報
【発明の概要】
【発明が解決しようとする課題】
【０００６】
しかしながら、上記の従来の陳列具の台紙は単一用途に過ぎず、平積ディスプレイ、面陳台、棚プレート、棚差しプレート、ＰＯＰカード及びスイングＰＯＰとして多機能で、多用途に供するＰＯＰ用台紙ではなかった。
【０００７】
本発明の目的は、低コストであり、保管・配送の際には省スペースであり、簡易に組み立て可能であり、平積ディスプレイ、面陳台、棚プレート、棚差しプレート、ＰＯＰカード及びスイングＰＯＰとして用いることができるＰＯＰ用台紙を提供することにある。
【課題を解決するための手段】
【０００８】
本発明のＰＯＰ用台紙は、
平積ディスプレイ、面陳台、棚プレート、棚差しプレート、ＰＯＰカード及びスイングＰＯＰとして用いることができる所定の厚み寸法の略平板状のＰＯＰ用台紙であって、
下面部と、該下面部の上下側にそれぞれ連接される後面部及び前面部と、前記後面部の左右のいずれか一方側に連接される側面部とを備え、
前記後面部は、宣伝広告などのための情報が表示された所定の領域が上方に延出して形成され、前記所定の領域を切り取るためのＰＯＰカード用切取線と、凸状部分を有する略矩形状の領域を切り取るための棚差しプレート用切取線とを備え、
前記下面部は、横幅長にわたる棚プレート用切取線と、面陳用ストッパ部を領域づける略Ｕ字状の切込線と、凸状部分を有する略矩形状の領域を切り取るための棚差しプレート用切取線と、宣伝広告などのための情報が表示された所定の領域を切り取るためのスイングＰＯＰ用切取線とを備え、
前記側面部を前記後面部に対して略９０度の角度に起立させ、さらに、前記後面部を前記下面部に対して略９０度の角度に起立させると、前記後面部、前記下面部及び前記側面部により形成される空間に被陳列体を平積みする前記平積ディスプレイとして用いることができ、
前記側面部を前記後面部に対して略９０度の角度に起立させ、さらに、前記後面部を前記下面部に対して略９０度の角度に起立させ、さらに、前記略Ｕ字状の切込線に沿った前記面陳用ストッパ部を、下面部に対して略９０度の角度に起立させ、前記後面部に立てかけられて面陳列される前記被陳列体の下端部を保持するストッパとすると、前記面陳台として用いることができ、
前記下面部の前記前面部と連接する側を前記棚プレート用切取線に沿って切り取り、前記前面部を前記切り取られた前記下面部に対して略９０度の角度に山折りして折り曲げると、前記前面部に宣伝広告などのための情報が表示され、前記下面部に前記被陳列体を載置する前記棚プレートとして用いることができ、
前記後面部のうち前記後面部の前記棚差しプレート用切取線に沿って切り取られた前記凸状部分を有する略矩形状の部材と、前記下面部のうち前記下面部の前記棚差しプレート用切取線に沿って切り取られた前記凸状部分を有する略矩形状の部材とを貼着して、棚に載置された複数の前記被陳列体の間に挿し込み、凸状部分が前記棚に引っ掛かるため被陳列体の間に隠れない部分に宣伝広告などのための情報が表示され、前記棚差しプレートとして用いることができ、
前記後面部のうち前記ＰＯＰカード用切取線に沿って切り取られた前記所定の領域の部材を前記ＰＯＰカードとして用いることができ、
前記下面部のうち前記スイングＰＯＰ用切取線に沿って切り取られた前記所定の領域の部材をＰＥＴスイングと組み合わせて前記スイングＰＯＰとして用いることができる。
【発明の効果】
【０００９】
本発明によれば、低コストであり、保管・配送の際には省スペースであり、簡易に組み立て可能であり、平積ディスプレイ、面陳台、棚プレート、棚差しプレート、ＰＯＰカード及びスイングＰＯＰとして用いることができるＰＯＰ用台紙を提供することができる。
【図面の簡単な説明】
【００１０】
【図１】本発明の実施の形態に係るＰＯＰ用台紙を示す図である。
【図２】本発明の実施の形態に係るＰＯＰ用台紙を組み立てて平積ディスプレイとして使用する状態を示す斜視図である。
【図３】本発明の実施の形態に係るＰＯＰ用台紙を組み立てて面陳台として使用する状態を示す斜視図である。
【図４】本発明の実施の形態に係るＰＯＰ用台紙の一部を切り取って棚プレートとして使用する状態を示す斜視図である。
【図５】本発明の実施の形態に係るＰＯＰ用台紙の一部を切り取って棚差しプレートとして使用する状態を示す斜視図である。
【図６】本発明の実施の形態に係るＰＯＰ用台紙の一部を切り取ってＰＯＰカードとして使用する状態を示す斜視図である。
【図７】本発明の実施の形態に係るＰＯＰ用台紙の一部を切り取ってスイングＰＯＰとして使用する状態を示す斜視図である。
【発明を実施するための形態】
【００１１】
以下、本発明の実施の形態を図面を参照しつつ説明する。本実施形態のＰＯＰ用台紙Ｐは、全体を折り曲げ・復元可能な樹脂、金属又は紙などの略矩形状の平板に折曲線、切込線及び切取線等を設定して、その形態を折り曲げ、切り込み線や中抜き部への所要部分の挿入固定や両面テープ・接着剤などの固定手段等により組立て完成状態を安定的・継続的に保持するように設定することが望ましい。すなわち、平板状のものを所定部分で折り曲げなどの作業により簡単に組み立てて、多機能で、多用途に供するＰＯＰ用台紙Ｐを固定・強固に完成型で保持できるとともに保管・輸送、集積コストの低減や使用後の分解により簡単に平板状に復することができて良好な使い勝手を実現できる。
【００１２】
図１に示すように、ＰＯＰ用台紙Ｐは、紙原反を打ち抜いてなる一枚の紙板材からなり、原後面部１０、原下面部２０、原前面部３０、原右側面部４０（原右側面部の代わりに原左側面部であってもよい。）を有している。これらの原後面部１０、原下面部２０、原前面部３０、原右側面部４０は組み立て後に、後述するように後面部１０１、下面部２０１、前面部３０１、右側面部４０１をそれぞれ構成することとなる。なお、紙板材は、リサイクル容易で、コスト低廉、軽量かつ可撓性を有するとの利点を有し、材料自体が地球環境に優しく、しかも印刷が容易で美麗に仕上げることができる。
【００１３】
ＰＯＰ用台紙Ｐは、厚み寸法が略０．２ｍｍ〜２．０ｍｍ程度（ここでは１．０ｍｍとする。）であり、原後面部１０の横幅及び高さの各寸法が、略２６０ｍｍ及び略２００ｍｍであり、原下面部２０の横幅及び高さの各寸法が、略２６０ｍｍ及び略１８５ｍｍであり、原前面部３０の横幅及び高さの各寸法が、略２６０ｍｍ及び略２５ｍｍであり、原右側面部４０の横幅及び高さの各寸法が、略５０ｍｍ及び略１００ｍｍである。
【００１４】
原後面部１０の下端は、折曲線１０ａ部分で略長方形状の原下面部２０の上端とつながっており、原下面部２０の下端は折曲線２２ａ部分で角部がＲ処理された略長方形状の原下面部３０の上端とつながっている。また、原後面部１０の右端は、折曲線４０ａ部分で斜辺が弧状となり膨出する略三角形状の原右側面部４０とつながっている。
各折曲線はプレスにより押圧薄部が線状に形成されており折り曲げが容易になっている。なお、折曲部としての各折曲線は折り曲げが可能であればどのように形成されていてもよい。
【００１５】
原後面部１０の左端下部には端縁から略１０ｍｍ内側の位置に略４０ｍｍの長さで凸部が設けられ段差が形成された略矩形状の切取線１１ａにより区分けされる、原棚差しプレート部１１が設けられている。原棚差しプレート部１１の横幅及び高さの各寸法が、略１８０ｍｍ及び略７５ｍｍである。
また、原後面部１０のうち、切取線１２ａにより区分けされる上方の領域には所定の形状（ここでは角部がＲ処理された略矩形状）の原ＰＯＰカード部１２が形成されている。原ＰＯＰカード部１２には宣伝広告用の文字・図形等が印刷されていてよい。なお、ハサミ等で切り取り可能であるので、切取線１２ａは必ずしも設けられている必要はない。
原ＰＯＰカード部１２の裏面側には両面テープが付され、原ＰＯＰカード部１２を折曲線により折り曲げて貼着することであってもよい。
【００１６】
原下面部２０の左端上部には端縁から略１０ｍｍ内側の位置に略４０ｍｍの長さで凸部が設けられ段差が形成された（折曲線１０ａを挟んで原棚差しプレート部１１と対称である。）略矩形状の切取線２１ａにより区分けされる、原棚差しプレート部２１が設けられている。原棚差しプレート部２１の横幅及び高さの各寸法が、略１８０ｍｍ及び略１０５ｍｍである。
原棚差しプレート部２１の裏面側には両面テープ２１ｂが付されている。後述するように、原棚差しプレート部１１、２１を折曲線１０ａにより折り曲げて貼着する際に用いられる。原棚差しプレート部１１、２１にはそれぞれ折曲線１０ａから略４０ｍｍの幅（凸部が設けられた幅と同等）の領域に宣伝広告用の文字・図形等が印刷されていてよい。
また、原下面部２０の右端上部の裏面側には端縁から略１０ｍｍ内側の位置に両面テープ２０ｂが付されている。後述するように、連結部５０を折曲線５０ａにより折り曲げて原下面部２０に貼着する際に用いられる。なお、両面テープ２０ｂに限らず、所定の半円弧状の切込線（スリット）に連結部５０を挿し込んで固定すること等であってもよい。
また、原下面部２０の下部には略矩形状の切取線２２ａにより区分けされる、原棚プレート部２２が設けられている。原棚プレート部２２の横幅及び高さの各寸法が、略２６０ｍｍ及び略８０ｍｍである。
原棚プレート部２２には略逆Ｕ字状の切込線２３ａ、２４ａが設けられている。後述するように、切込線２３ａ、２４ａに沿って、面陳用ストッパ部２３、２４を原下面部２０に対して起立させることで、ＰＯＰ用台紙Ｐを面陳台として用いる場合に、斜めに傾けられた書籍等の下端部のストッパとなる。面陳用ストッパ部２３、２４には宣伝広告用の文字・図形等が印刷されていてよい。
また、原下面部２０の左上部には略円形上の切取線２５ａにより区分けされる、原スイングＰＯＰ用ＰＯＰカード部２５が設けられている。原スイングＰＯＰ用ＰＯＰカード部２５の直径は、略６０ｍｍである。
【００１７】
原前面部３０は、角部がＲ処理された略矩形状であり、横幅及び高さの各寸法が、略２６０ｍｍ及び略２５ｍｍである。原前面部３０には宣伝広告用の文字・図形等が印刷されていてよい。
【００１８】
原右側面部４０は斜辺が弧状となり膨出する略三角形状であり、横幅及び高さの各寸法が、略５０ｍｍ及び略１００ｍｍである。原右側面部４０の下端は、折曲線５０ａ部分で略矩形状の連結部５０とつながっている。また、原右側面部４０は左下端部から４５度の角度により形成される折曲線４１ａが形成されている。
連結部５０は、横幅及び高さの各寸法が、略４５ｍｍ及び略２５ｍｍである。折曲線５０ａにより折り曲げて原下面部２０の両面テープ２０ｂにより、原下面部２０と原右側面部４０を貼着して連結する機能を有している。原下面部２０との右端とはＰＯＰ用台紙Ｐの厚みを考慮して略５ｍｍの隙間が形成され、折曲線４０ａ、折曲線５０ａを用いた折り曲げを容易としている。さらに当該隙間の上端には、好適にはＰＯＰ用台紙Ｐの厚さ寸法よりやや大きいその数倍程度の径（ここでは５ｍｍとする。）の略円形に中抜き形成された係合部が形成されていてもよい。
各折曲線はプレスにより押圧薄部が線状に形成されており折り曲げが容易になっている。なお、折曲部としての各折曲線は折り曲げが可能であればどのように形成されていてもよい。
【００１９】
本実施の形態における、ＰＯＰ用台紙Ｐのサイズの場合、例えば、Ａ４サイズの書籍などがコンパクトに保持・陳列できる。また、ＰＯＰ用台紙Ｐを郵送等により多数のユーザに配送したり保管する際に、そのままの形態で又は２つ折り・３つ折りなどによりコンパクトに取り扱いの便宜が図られ、コストの低減も図られる。
【００２０】
次に、図１及び図２（ＰＯＰ用台紙を組み立てて平積ディスプレイとして使用する状態を示す斜視図であり、基本形を示すものである。）等を参照しながら、ＰＯＰ用台紙Ｐを組み立ててＰＯＰ用台紙Ｐを完成する手順を説明する。なお、山折り、谷折り等は、図１を上面図とした場合における方向を前提とする。
【００２１】
まず、ＰＯＰ用台紙Ｐの折曲線１０ａに沿って谷折りし、原後面部１０を原下面部２０に対して略９０度の角度に起立させる。
一方、ＰＯＰ用台紙Ｐの折曲線３０ａに沿って谷折りし、原前面部３０を原下面部２０に対して略９０度の角度に折り返す。原前面部３０は折り返すことなくそのままであってもよい。
また、ＰＯＰ用台紙Ｐの折曲線４０ａに沿って谷折りし、原右側面部４０を原後面部１０に対して略９０度の角度に折り返す。同時に、ＰＯＰ用台紙Ｐの折曲線５０ａに沿って谷折りし、連結部５０を原右側面部４０に対して略９０度の角度に折り返し、原下面部２０の下方に重ね合わせて、両面テープ２０ｂにより、原下面部２０と原右側面部４０を貼着して連結する。
【００２２】
上記のようにＰＯＰ用台紙を組み立てて、図２に示すように、平積ディスプレイとして使用することができる。すなわち、ＰＯＰ用台紙Ｐの後面部１０１、下面部２０１、右側面部４０１により形成される空間に上方から被陳列体Ｂと同種のものなどを複数挿し入れて平積み状態として収納・配置することができる。そして、後面部１０１、前面部３０１に印刷された宣伝広告用の文字・図形等によりＰＯＰとして機能することとなる。
被陳列体Ｂとしては、例えば、書籍（Ａ４、Ａ５、Ｂ５、Ｂ６等）、パンフレット（Ａ４等）、リーフレット類を広く含み、さらに、各種カード・葉書・案内書・カタログあるいは薄型板状の電子機器・化粧品・小物商品などの他、Ｔシャツなどの衣類・身の回り品（畳んだ状態など）を広く含む。
【００２３】
ＰＯＰ用台紙Ｐは、例えば、書店などにおける書籍等の陳列台・陳列棚やカウンターなどに設置されてよく、また、洋品店などにおける洋服等の陳列台・陳列棚やカウンターなどに設置されてもよい。
【００２４】
上記のような構成により、簡易に安定した形態の、ＰＯＰ用台紙Ｐを提供することができる。また、使用後のＰＯＰ用台紙Ｐの解体・分解も容易に行うことができ、低コストであるので、従来の陳列具のように使い回しすることなく、消耗品として気軽に扱うこともできる。
なお、折曲線４１ａに沿って山折りすることで、下面部２０１に対して略９０度の角度に起立させた後面部１０１を組み立て状態（両面テープ２０ｂにより原下面部２０と原右側面部４０を貼着して連結した状態）のまま折り畳むことができる。
【００２５】
次に、図１、図２及び図３等を参照しながら、ＰＯＰ用台紙Ｐを組み立てて面陳台として使用する手順を説明する。なお、山折り、谷折り等は、図１を上面図とした場合における方向を前提とする。
【００２６】
上記の図２の組み立て完成状態から、原下面部２０（下面部２０１）に略逆Ｕ字状の切込線２３ａ、２４ａに沿って設けられた面陳用ストッパ部２３、２４を、原下面部２０（下面部２０１）に対して谷折りし、原下面部２０（下面部２０１）に対して略９０度の角度に起立させ、斜めに傾けられた書籍等の下端部のストッパとする。
【００２７】
上記のようにＰＯＰ用台紙を組み立てて（もちろん、図１の状態から組み立てることであってもよい。）、図３に示すように、面陳台として使用することができる。すなわち、ＰＯＰ用台紙Ｐの後面部１０１、下面部２０１、右側面部４０１により形成される空間に左上方から被陳列体Ｂと同種のものなどを複数挿し入れて、被陳列体Ｂを立てかけさせておもて表紙を前面にして面陳列させて収納・配置することができる。そして、後面部１０１、前面部３０１、面陳用ストッパ部２３、２４に印刷された宣伝広告用の文字・図形等によりＰＯＰとして機能することとなる。
【００２８】
次に、図１、図２及び図４等を参照しながら、ＰＯＰ用台紙Ｐを棚プレートとして使用する手順を説明する。なお、山折り、谷折り等は、図１を上面図とした場合における方向を前提とする。
【００２９】
上記の図２の組み立て完成状態から、原下面部２０（下面部２０１）に設けられた略矩形状の原棚プレート部２２を切取線２２ａに沿って原下面部２０（下面部２０１）から切り取る。
【００３０】
上記のようにＰＯＰ用台紙を組み立てて（もちろん、図１の状態から組み立てることであってもよい。）、図４に示すように、棚プレートとして使用することができる。すなわち、棚Ｒに被陳列体Ｂを背表紙を前面にして横並び等に収納・配置させ、前面部３０１に印刷された宣伝広告用の文字・図形等によりＰＯＰとして機能することとなる。
【００３１】
次に、図１、図２及び図５等を参照しながら、ＰＯＰ用台紙Ｐを棚差しプレートとして使用する手順を説明する。なお、山折り、谷折り等は、図１を上面図とした場合における方向を前提とする。
【００３２】
上記の図２の組み立て完成状態から、原後面部１０（後面部１０１）に設けられた略矩形状の原棚差しプレート部１１を切取線１１ａに沿って原後面部１０（後面部１０１）から切り取るとともに、原下面部２０（下面部２０１）に設けられた略矩形状の原棚差しプレート部２１を切取線２１ａに沿って原下面部２０（下面部２０１）から切り取る。折曲線１０ａに沿って山折りし、原棚差しプレート部１１、２１を、原棚差しプレート部２１の裏面側に付されている両面テープ２１ｂにより貼着する。
【００３３】
上記のようにＰＯＰ用台紙を組み立てて（もちろん、図１の状態から組み立てることであってもよい。）、図５に示すように、棚差しプレート１１０として使用することができる。すなわち、背表紙を前面にして横並びに棚Ｒに陳列された被陳列体Ｂの間に挿し込まれた棚差しプレート１１０のうち、原棚差しプレート部１１、２１に形成された段差部分がストッパとなり、挿し込めずに飛び出た領域に印刷された宣伝広告用の文字・図形等によりＰＯＰとして機能することとなる。
【００３４】
次に、図１、図２及び図６等を参照しながら、ＰＯＰ用台紙ＰをＰＯＰカードとして使用する手順を説明する。なお、山折り、谷折り等は、図１を上面図とした場合における方向を前提とする。
【００３５】
上記の図２の組み立て完成状態から、原後面部１０（後面部１０１）に設けられた原ＰＯＰカード部１２を切取線１２ａに沿って原後面部１０（後面部１０１）から切り取る。なお、切取線１２ａを利用することなく、ハサミ等で切り取ることであってもよい。
【００３６】
上記のようにＰＯＰ用台紙を切り取って（もちろん、図１の状態から切り取ることであってもよい。）、図６に示すように、ＰＯＰカード１２０として使用することができる。すなわち、ＰＯＰカード１２０を表示スタンドＳに挟んで、ＰＯＰカード１２０に印刷された宣伝広告用の文字・図形等によりＰＯＰとして機能することとなる
【００３７】
次に、図１、図２及び図７等を参照しながら、ＰＯＰ用台紙ＰをＰＯＰカードとして使用する手順を説明する。なお、山折り、谷折り等は、図１を上面図とした場合における方向を前提とする。
【００３８】
上記の図２の組み立て完成状態から、原下面部２０（下面部２０１）に設けられた原スイングＰＯＰ用ＰＯＰカード部２５を切取線２５ａに沿って原下面部２０（下面部２０１）から切り取る。
【００３９】
上記のようにＰＯＰ用台紙を切り取って（もちろん、図１の状態から切り取ることであってもよい。）、図７に示すように、スイングＰＯＰ用ＰＯＰカード２５０にＰＥＴスイングＦを付加してスイングＰＯＰとして使用することができる。スイングＰＯＰ用ＰＯＰカード２５０に印刷された宣伝広告用の文字・図形等によりＰＯＰとして機能することとなる。
【００４０】
上記のように本実施の形態のＰＯＰ用台紙Ｐは、図４の棚プレートとしての使用時に、切り取った部材を利用して、図５の棚差しプレート１１０及び図６のＰＯＰカード１２０とすることができ、合理的・経済的な利用方法が可能である。同様に、図５の棚差しプレート１１０としての使用時に、切り取った部材を利用して、図６のＰＯＰカード１２０とすることができる。
【００４１】
上記の各実施の形態では、ＰＯＰ用台紙Ｐは、基本的には一枚の紙板材を折り曲げることにより形成しているが、ＰＯＰ用台紙Ｐが後面部、下面部、前面部、側面部等を備えるということは、一枚板の折り曲げによる構成のみを意味するのでなく、別個の各部材（平板に限らなく凹凸がある部材を広く含む）を適宜に連接固定して形成されるもの等を包含するものであることは言うまでもない。
上記の各実施の形態における、ＰＯＰ用台紙Ｐの後面部、下面部、前面部、側面部等は、任意の数、位置、形状等に形成されることであってよい。
【００４２】
その他、一々例示はしないが、本発明は、その趣旨を逸脱しない範囲内において、各構成部分の大きさや形状を含む種々の変更が加えられて実施されてよい。
【符号の説明】
【００４３】
Ｐ        ＰＯＰ用台紙
１０      原後面部
（組み立て前の後面部）
２０      原下面部
（組み立て前の下面部）
３０      原前面部
（組み立て前の前面部）
４０      原右側面部
（組み立て前の側面部）
１０１    後面部
２０１    下面部
３０１    前面部
４０１    右側面部
【要約】
【課題】低コストであり、保管・配送の際には省スペースであり、簡易に組み立て可能であり、平積ディスプレイ、面陳台、棚プレート、棚差しプレート、ＰＯＰカード及びスイングＰＯＰとして用いることができるＰＯＰ用台紙を提供すること。
【解決手段】平積ディスプレイ、面陳台、棚プレート、棚差しプレート、ＰＯＰカード及びスイングＰＯＰとして用いることができる所定の厚み寸法の略平板状のＰＯＰ用台紙であって、下面部と、該下面部の上下側にそれぞれ連接される後面部及び前面部と、前記後面部の左右のいずれか一方側に連接される側面部とを備え、前記後面部は、宣伝広告などのための情報が表示された所定の領域が上方に延出して形成され、前記所定の領域を切り取るためのＰＯＰカード用切取線と、凸状部分を有する略矩形状の領域を切り取るための棚差しプレート用切取線とを備え、前記下面部は、横幅長にわたる棚プレート用切取線と、面陳用ストッパ部を領域づける略Ｕ字状の切込線と、凸状部分を有する略矩形状の領域を切り取るための棚差しプレート用切取線と、宣伝広告などのための情報が表示された所定の領域を切り取るためのスイングＰＯＰ用切取線とを備え、前記側面部を前記後面部に対して略９０度の角度に起立させ、さらに、前記後面部を前記下面部に対して略９０度の角度に起立させると、前記後面部、前記下面部及び前記側面部により形成される空間に被陳列体を平積みする前記平積ディスプレイとして用いることができ、前記側面部を前記後面部に対して略９０度の角度に起立させ、さらに、前記後面部を前記下面部に対して略９０度の角度に起立させ、さらに、前記略Ｕ字状の切込線に沿った前記面陳用ストッパ部を、下面部に対して略９０度の角度に起立させ、前記後面部に立てかけられて面陳列される前記被陳列体の下端部を保持するストッパとすると、前記面陳台として用いることができ、前記下面部の前記前面部と連接する側を前記棚プレート用切取線に沿って切り取り、前記前面部を前記切り取られた前記下面部に対して略９０度の角度に山折りして折り曲げると、前記前面部に宣伝広告などのための情報が表示され、前記下面部に前記被陳列体を載置する前記棚プレートとして用いることができ、前記後面部のうち前記後面部の前記棚差しプレート用切取線に沿って切り取られた前記凸状部分を有する略矩形状の部材と、前記下面部のうち前記下面部の前記棚差しプレート用切取線に沿って切り取られた前記凸状部分を有する略矩形状の部材とを貼着して、棚に載置された複数の前記被陳列体の間に挿し込み、凸状部分が前記棚に引っ掛かるため被陳列体の間に隠れない部分に宣伝広告などのための情報が表示され、前記棚差しプレートとして用いることができ、前記後面部のうち前記ＰＯＰカード用切取線に沿って切り取られた前記所定の領域の部材を前記ＰＯＰカードとして用いることができ、前記下面部のうち前記スイングＰＯＰ用切取線に沿って切り取られた前記所定の領域の部材をＰＥＴスイングと組み合わせて前記スイングＰＯＰとして用いることができるＰＯＰ用台紙。
【選択図】図１【図１】
0005627815.tif 000002
【図２】
0005627815.tif 000003
【図３】
0005627815.tif 000004
【図４】
0005627815.tif 000005
【図５】
0005627815.tif 000006
【図６】
0005627815.tif 000007
【図７】
0005627815.tif 000008